(57)【要約】【課題】読取った原稿全体の内容を容易に把握できるようにする手段を提供する。【解決手段】原稿を読取り、原稿の画像を生成する画像読取部と、前記画像を表示部に表示するとともに、前記画像から所望の前記画像を選択する操作を受付ける画像選択部と、前記選択された画像に基づいて前記画像に対応するサムネイル画像を作成するサムネイル作成部と、前記サムネイル画像を用いたアイコンを作成するアイコン作成部と、前記アイコンを前記表示部に表示する制御部と、を有し、前記画像選択部は、複数の前記画像を選択する操作を受付け、前記サムネイル作成部は、前記選択された複数の画像に基づいて前記画像に対応する複数のサムネイル画像を作成し、前記アイコン作成部は、前記複数のサムネイル画像を用いたアイコンを作成する。【選択図】        図１
2017011524.tif 000002
【特許請求の範囲】
【請求項１】
原稿を読取り、原稿の画像を生成する画像読取部と、
前記画像を表示部に表示するとともに、前記画像から所望の前記画像を選択する操作を受付ける画像選択部と、
前記選択された画像に基づいて前記画像に対応するサムネイル画像を作成するサムネイル作成部と、
前記サムネイル画像を用いたアイコンを作成するアイコン作成部と、
前記アイコンを前記表示部に表示する制御部と、
を有し、
前記画像選択部は、複数の前記画像を選択する操作を受付け、
前記サムネイル作成部は、前記選択された複数の画像に基づいて前記画像に対応する複数のサムネイル画像を作成し、
前記アイコン作成部は、前記複数のサムネイル画像を用いたアイコンを作成することを特徴とする画像形成装置。
【請求項２】
請求項１に記載の画像形成装置において、
前記アイコン作成部は、それぞれの前記サムネイル画像をずらして重ねたアイコンを作成することを特徴とする画像形成装置。
【請求項３】
請求項１に記載の画像形成装置において、
前記アイコン作成部は、それぞれの前記サムネイル画像を用いて、所定の時間が経過する毎に、切り替えて前記表示部に表示する複数のアイコンを作成することを特徴とする画像形成装置。
【請求項４】
請求項１に記載の画像形成装置において、
前記画像選択部は、前記アイコン作成部がアイコンを作成する方法の選択操作を受付け、
前記アイコン作成部は、選択された前記アイコンを作成する方法に基づいて、それぞれの前記サムネイル画像をずらして重ねたアイコンを作成し、またはそれぞれの前記サムネイル画像を用いて、所定の時間が経過する毎に、切り替えて前記表示部に表示する複数のアイコンを作成することを特徴とする画像形成装置。
【請求項５】
請求項１から請求項４のいずれかに記載の画像形成装置において、
前記アイコンは、前記画像読取部で読み取った原稿の画像を印刷する機能を選択する操作手段として表示されることを特徴とする画像形成装置。
【請求項６】
請求項２または請求項４に記載の画像形成装置において、
前記サムネイル作成部は、前記画像選択部で選択された画像数に応じて前記サムネイル画像の大きさを変化させることを特徴とする画像形成装置。
【請求項７】
請求項２、請求項４または請求項６に記載の画像形成装置において、
前記サムネイル作成部は、前記画像選択部で選択された画像数に応じて前記サムネイル画像のずらし量を変化させることを特徴とする画像形成装置。
【発明の詳細な説明】
【技術分野】
【０００１】
本発明は、画像を印刷する機能を有する画像形成装置に関する。
【背景技術】
【０００２】
従来の画像形成装置は、スキャナ等で読み取った原稿の画像を装置内に格納し、読取った原稿の画像から作成したサムネイル画像を操作パネルに選択可能に表示し、選択されたサムネイル画像のオリジナル画像を印刷するようにしている（例えば、特許文献１参照）。
【先行技術文献】
【特許文献】
【０００３】
【特許文献１】特開２００６−２７０４５１号公報
【発明の概要】
【発明が解決しようとする課題】
【０００４】
しかしながら、従来の技術においては、操作パネルに表示されるサムネイル画像は読み取った原稿の先頭ページ等のひとつのページであるため、ユーザは原稿の先頭ページ等を見ただけでは読取った原稿全体の内容を把握することが難しいという問題がある。
本発明は、このような問題を解決することを課題とし、読取った原稿全体の内容を容易に把握できるようにすることを目的とする。
【課題を解決するための手段】
【０００５】
そのため、本発明は、原稿を読取り、原稿の画像を生成する画像読取部と、前記画像を表示部に表示するとともに、前記画像から所望の前記画像を選択する操作を受付ける画像選択部と、前記選択された画像に基づいて前記画像に対応するサムネイル画像を作成するサムネイル作成部と、前記サムネイル画像を用いたアイコンを作成するアイコン作成部と、前記アイコンを前記表示部に表示する制御部と、を有し、前記画像選択部は、複数の前記画像を選択する操作を受付け、前記サムネイル作成部は、前記選択された複数の画像に基づいて前記画像に対応する複数のサムネイル画像を作成し、前記アイコン作成部は、前記複数のサムネイル画像を用いたアイコンを作成することを特徴とする。
【発明の効果】
【０００６】
このようにした本発明は、読取った原稿全体の内容を容易に把握できるという効果が得られる。
【図面の簡単な説明】
【０００７】
【図１】実施例におけるＭＦＰの構成を示すブロック図
【図２】実施例におけるパネル部の説明図
【図３】実施例におけるホーム画面の説明図
【図４】実施例におけるスキャン画面の説明図
【図５】実施例におけるスキャンプレビュー画面の説明図
【図６】実施例におけるアイコン作成方法選択画面の説明図
【図７】実施例におけるスキャン画像保存制御部が行う処理の流れを示すフローチャート
【図８】実施例におけるスキャンプレビュー制御部が行う処理の流れを示すフローチャート
【図９】実施例におけるアイコン作成部が行う処理の流れを示すフローチャート
【図１０】実施例におけるタイムアウト処理の流れを示すフローチャート
【図１１】実施例におけるスキャンプレビュー完了通知の説明図
【図１２】実施例におけるサムネイルサイズテーブルの説明図
【図１３】実施例における重ね合わせサムネイルの説明図
【図１４】実施例におけるトグルサムネイルリストの説明図
【図１５】実施例におけるトグルサムネイルの説明図
【発明を実施するための形態】
【０００８】
以下、図面を参照して本発明による画像形成装置の実施例を説明する。
【実施例】
【０００９】
図１は実施例におけるＭＦＰの構成を示すブロック図である。
図１において、画像形成装置としてのＭＦＰ（複合機：ＭｕｌｔｉＦｕｎｃｔｉｏｎ  Ｐｅｒｉｐｈｅｒａｌ）１は、画像を印刷する機能を有するものであり、スキャナ部２と、スキャナ制御部３と、パネル制御部４と、パネル部５と、プリント制御部６と、プリント部７と、ホーム画面制御部８と、スキャン画像保存制御部９と、スキャンプレビュー制御部１０と、サムネイル作成部１１と、アイコン作成部１２と、記録部１３と、タイマー１７とを有している。
【００１０】
画像読取部としてのスキャナ部２は、原稿を読取り、原稿の画像を生成するものであり、原稿載置台、自動原稿送り装置（ＡＤＦ：Ａｕｔｏ  Ｄｏｃｕｍｅｎｔ  Ｆｅｅｄｅｒ）や原稿を読み取るリニアイメージセンサ等を備えたものである。
スキャナ制御部３は、スキャナ部２を制御するものであり、原稿載置台に原稿が載置されたときに、スキャナ部２が有する読取機構を駆動させ、リニアイメージセンサが読み取って連続的に出力する原稿の画像データを取り込む機能を有するものである。スキャナ制御部３は、原稿の画像データを記録部１３にスキャン画像１４として記録する。
【００１１】
パネル部５は、ＭＦＰ１と、ＭＦＰ１の利用者との間のインタフェースであり、例えばディスプレイ等の表示部および操作キーやボタン等の入力部を有するものである。また、タッチパネルディスプレイ等のように利用者への出力および利用者からの入力を受付けられるものであっても良い。
パネル制御部４は、パネル部５を制御するものであり、操作キーやタッチパネルディスプレイ等からの入力操作の検知を行い、またディスプレイ等に画像等を表示させる。
【００１２】
プリント部７は、スキャナ部２が読み取った原稿の画像を紙などの媒体上に形成し、印刷するものである。このプリント部７は、媒体カセット、給紙部、イメージドラム、定着ユニット等を有している。
プリント制御部６は、プリント部７を制御するものであり、スキャナ制御部３が取り込んだ原稿の画像データをプリント部７に出力し、読取った原稿の画像を媒体に形成させるものである。
【００１３】
ホーム画面制御部８は、パネル部５にホーム画面やスキャン画面を表示させる指示をパネル制御部４に出力するものである。
スキャン画像保存制御部９は、ホーム画面制御部８から起動され、スキャンプレビュー制御部１０とアイコン作成部１２を起動し、サムネイル画像付きアイコン（サムネイル画像含むアイコン）を作成するものである。
ここで、サムネイル画像とは、スキャナ部２で読み取った原稿の画像を縮小等して原稿内容を確認するための原稿確認用の画像である。また、アイコンとは、内容や機能を図絵で記号化してパネル部５に表示する画像である。
【００１４】
画像選択部としてのスキャンプレビュー制御部１０は、スキャナ部２で読み取った画像を、パネル制御部４等を介して表示部としてのパネル部５に表示するとともに、表示した画像から所望の複数の画像を選択する操作を受付けるものである。スキャンプレビュー制御部１０は、記録部１３に記録されたスキャン画像１４をパネル部５に表示させる指示をパネル制御部４に出力し、表示した複数のスキャン画像１４を選択する操作を受付ける。
【００１５】
サムネイル作成部１１は、スキャンプレビュー制御部１０でユーザによる操作により選択された複数のスキャン画像１４に基づいて選択されたスキャン画像１４に対応する複数のサムネイル画像を作成するものである。サムネイル作成部１１は、記録部１３に記録されたスキャン画像１４からサムネイル画像１５を作成し、記録部１３に記録する。
【００１６】
アイコン作成部１２は、サムネイル作成部１１が作成した複数のサムネイル画像を用いたアイコンを作成するものであり、記録部１３に記録されたサムネイル画像１５を付加したアイコン１６を作成するものである。本実施例では、アイコン作成部１２は、複数のサムネイル画像１５を重ね合わせたアイコン１６や複数のサムネイル画像１５を所定の時間が経過する毎に切り替え、繰り返してパネル部５に表示（トグル表示）するアイコン１６を作成する。
【００１７】
ホーム画面制御部８は、アイコン作成部１２が作成したアイコン１６を含むホーム画面を、パネル制御部４を介してパネル部５に表示する。
記録部１３は、メモリ等の記憶手段であり、スキャン画像１４およびサムネイル画像１５等を記録するものである。
タイマー１７は、計時手段であり、所定時間が経過するとホーム画面制御部８にタイムアウト通知を行うものである。ホーム画面制御部８は、タイムアウト通知を受けると、パネル制御部４を介してパネル部５に表示するアイコン１６を切り替える処理を行う。
【００１８】
図２は実施例におけるパネル部の説明図である。
図２において、パネル部５は、表示部１０１と、入力部としてのスタートボタン１０２およびキャンセルボタン１０３とを有している。
表示部１０１は、利用者が入力した値、指示内容、ＭＦＰから利用者へ情報を通知するメッセージ等を表示するディスプレイ等である。
スタートボタン１０２は、利用者がＭＦＰに対してコピーなどの機能を開始させる場合に押下する操作ボタンである。
キャンセルボタン１０３は、ＭＦＰが行う印刷処理等を取り消す場合に押下する操作ボタンである。
【００１９】
図３は実施例におけるホーム画面の説明図であり、図１に示すホーム画面制御部８が図２に示すパネル部５の表示部１０１に表示するホーム画面の説明図である。
図３において、ホーム画面２００は、コピー画面遷移ボタン２０１と、スキャン画面遷移ボタン２０２と、プリント画面遷移ボタン２０３と、ファックス画面遷移ボタン２０４と、スキャン画像印刷実行ボタン２０５とを有している。
コピー画面遷移ボタン２０１は、コピー画面を表示させるために押下するものである。
【００２０】
スキャン画面遷移ボタン２０２は、スキャン画面を表示させるために押下するものである。
プリント画面遷移ボタン２０３は、プリント画面を表示させるために押下するものである。
ファックス画面遷移ボタン２０４は、ファックス画面を表示させるために押下するものである。
【００２１】
スキャン画像印刷実行ボタン２０５は、図１に示すスキャナ部２で読み取ったスキャン画像１４をプリント部７で印刷させるために押下するものである。図１に示すスキャン画像１４は、スキャン画面遷移ボタン２０２を押下して表示させたスキャン画面を操作して読み取った原稿の画像データである。
スキャン画像印刷実行ボタン２０５は、図１に示すサムネイル画像１５が付加されたアイコン１６として表示され、印刷される図１に示すスキャン画像１４の内容をユーザが視認し易ようにしている。
【００２２】
図４は実施例におけるスキャン画面の説明図であり、図１に示すホーム画面制御部８が図２に示すパネル部５の表示部１０１に表示するスキャン画面の説明図である。
図４において、スキャン画面３００は、図３に示すホーム画面２００のスキャン画面遷移ボタン２０２が押下されたときに表示される画面であり、メール画面遷移ボタン３０１と、ＵＳＢ（Ｕｎｉｖｅｒｓａｌ  Ｓｅｒｉａｌ  Ｂｕｓ）メモリ画面遷移ボタン３０２と、保存ボタン（装置に保存）３０３とを有している。
【００２３】
メール画面遷移ボタン３０１は、図１に示すスキャナ部２で読み取った画像を電子メールで送信する画面を表示させるために押下するものである。
ＵＳＢメモリ画面遷移ボタン３０２は、図１に示すスキャナ部２で読み取った画像をＵＳＢメモリに保存する画面を表示させるために押下するものである。
保存ボタン３０３は、図１に示すスキャナ部２で読み取った画像を記録部１３にスキャン画像１４として保存するとともに、スキャン画像保存制御部９を起動し、サムネイル画像１５を付加したアイコン１６を作成するために押下するものである。
【００２４】
図５は実施例におけるスキャンプレビュー画面の説明図であり、図１に示すスキャンプレビュー制御部１０が図２に示すパネル部５の表示部１０１に表示するスキャンプレビュー画面の説明図である。
図５において、スキャンプレビュー画面４００は、図４に示すスキャン画面３００の保存ボタン３０３が押下され、原稿の読取り動作を終了したときに表示される画面であり、スキャン画像表示領域４０１と、前画像表示ボタン４０２と、次画像表示ボタン４０３と、ページ番号表示領域４０４と、サムネイル対象チェックボックス４０５と、次へボタン４０６とを有している。
【００２５】
スキャン画像表示領域４０１は、図１に示すスキャン画像１４を表示する領域である。
次画像表示ボタン４０３は、図１に示すスキャン画像１４が複数ページ存在する場合、次のページのスキャン画像を表示させるために押下するものである。また、前画像表示ボタン４０２は、前のページのスキャン画像を表示させるために押下するものである。
ページ番号表示領域４０４は、図１に示すスキャン画像１４の総ページ数と、スキャン画像表示領域４０１に表示されているスキャン画像１４のページ番号を表示する領域である。図５では、スキャン画像１４の総ページ数が「６」、スキャン画像表示領域４０１に表示されているスキャン画像１４のページ番号が「３」であることを表している。
【００２６】
サムネイル対象チェックボックス４０５は、スキャン画像表示領域４０１に表示されているスキャン画像をサムネイルの対象にする場合にチェックするためのものである。このサムネイル対象チェックボックス４０５は、一度押下するとチェックマークが入り、もう一度押下するとチェックマークが外れる。
次へボタン４０６は、スキャンプレビュー画面４００の操作を終了し、次のアイコン作成方法選択画面を表示させるために押下するものである。
【００２７】
図６は実施例におけるアイコン作成方法選択画面の説明図であり、図１に示すスキャンプレビュー制御部１０が図２に示すパネル部５の表示部１０１に表示するアイコン作成方法選択画面の説明図である。
図６において、アイコン作成方法選択画面５００は、図５に示すスキャンプレビュー画面４００の次へボタン４０６が押下されたときに表示される画面であり、機能説明表示領域５０１と、アイコン作成方法選択ラジオボタン５０２と、キャンセルボタン５０３と、実行ボタン５０４とを有している。
【００２８】
アイコン作成方法選択ラジオボタン５０２は、作成するアイコンに１つのサムネイル画像を付ける場合に選択する「１ページ表示」、作成するアイコンに複数のサムネイル画像を重ねて表示する場合に選択する「重ね合わせ」、作成するアイコンに複数のサムネイル画像を順番に表示する「トグル表示」のいずれかのアイコン作成方法を選択するものである。
【００２９】
機能説明表示領域５０１は、アイコン作成方法選択ラジオボタン５０２で選択されたアイコン作成方法の説明図を表示する領域である。
キャンセルボタン５０３は、アイコン作成方法選択画面５００を終了する場合に押下するものである。
実行ボタン５０４は、アイコン作成方法選択ラジオボタン５０２で選択されたアイコン作成方法でアイコンの作成を開始させるために押下するものである。
【００３０】
図１に示すスキャンプレビュー制御部１０は、アイコン作成方法選択画面５００のアイコン作成方法選択ラジオボタン５０２でアイコン作成部１２が行うアイコンの作成の方法の選択操作を受付け、アイコン作成部１２は、アイコンを作成する方法として「重ね合わせ」が選択された場合、それぞれのサムネイル画像をずらして重ねたアイコン１６を作成し、「トグル表示」が選択された場合、それぞれのサムネイル画像を用いて、所定の時間が経過する毎に、切り替えてパネル部５に表示する複数のアイコン１６を作成する。
【００３１】
上述した構成の作用について説明する。
ＭＦＰが行うアイコン表示処理を図７〜図１０に基づいて図１を参照しながら説明する。
まず、ＭＦＰ１のスキャン画像保存制御部９が行う処理を図７の実施例におけるスキャン画像保存制御部が行う処理の流れを示すフローチャートの図中Ｓで表すステップに従って説明する。
【００３２】
図３に示すホーム画面２００のスキャン画面遷移ボタン２０２が押下され、さらに図４に示すスキャン画面３００の保存ボタン３０３が押下されると、ＭＦＰ１のスキャン制御部３はスキャナ部２により原稿の画像を読取り、読取った原稿の画像を記録部１３にスキャン画像１４として記録し、スキャン画像保存制御部９は本処理を起動する。
【００３３】
Ｓ１０１：ＭＦＰ１のスキャン画像保存制御部９は、スキャン制御部３からスキャン完了通知を受ける。このスキャン完了通知には、スキャン制御部３が記録部１３に記録したスキャン画像１４を識別するための識別情報としてスキャン画像ＩＤが付与されている。
Ｓ１０２：スキャン画像保存制御部９は、スキャン制御部３からスキャン完了通知を受けると、スキャンプレビュー制御部１０を起動する。スキャン画像保存制御部９は、スキャンプレビュー制御部１０を起動するとき、スキャン画像ＩＤをスキャンプレビュー制御部１０に付与（通知）する。なお、スキャンプレビュー制御部１０が行う処理の詳細は後述する。
【００３４】
Ｓ１０３：スキャン画像保存制御部９は、スキャンプレビュー制御部１０からスキャンプレビュー完了通知を受ける。このスキャンプレビュー完了通知には、図５に示すスキャンプレビュー画面４００で設定されたサムネイル対象が記述されたサムネイル対象リストおよび図６に示すアイコン作成方法選択画面５００で設定されたサムネイル作成方法を表す情報が付与されている。
【００３５】
Ｓ１０４：スキャン画像保存制御部９は、スキャン画像保存制御部９からスキャンプレビュー完了通知を受けると、アイコン作成部１２を起動する。スキャン画像保存制御部９は、アイコン作成部１２を起動するとき、サムネイル対象リストおよびサムネイル作成方法を表す情報をアイコン作成部１２に付与（通知）する。なお、アイコン作成部１２が行う処理の詳細は後述する。
【００３６】
Ｓ１０５：スキャン画像保存制御部９は、アイコン作成部１２からアイコン作成完了通知を受ける。このアイコン作成完了通知には、作成されたアイコンが付与されている。
Ｓ１０６：スキャン画像保存制御部９は、アイコン作成完了通知に付与されたアイコンと、スキャン画像ＩＤとを紐付け、関連付ける。
Ｓ１０７：スキャン画像保存制御部９は、スキャン画像ＩＤが紐付けられたアイコンをホーム画面制御部８に通知し、ホーム画面に当該アイコンを配置させ、本処理を終了する。
【００３７】
なお、ホーム画面制御部８は、通知されたアイコンを、図３に示すホーム画面２００に、スキャナ部２で読み取った原稿の画像を印刷する機能を選択する操作手段であるスキャン画像印刷実行ボタン２０５として表示する。
次に、ＭＦＰ１のスキャンプレビュー制御部１０が行う処理を図８の実施例におけるスキャンプレビュー制御部が行う処理の流れを示すフローチャートの図中Ｓで表すステップに従って図５に示すスキャンプレビュー画面４００および図６に示すアイコン作成方法選択画面５００を参照しながら説明する。なお、本処理は図７におけるＳ１０２で起動される。
【００３８】
Ｓ２０１：ＭＦＰ１のスキャンプレビュー制御部１０は、初期化したサムネイル対象リストを作成する。
Ｓ２０２：スキャンプレビュー制御部１０は、スキャン画像保存制御部９から入力（通知）されたスキャン画像ＩＤに基づいて記録部１３に記録されたスキャン画像１４を取得する。
Ｓ２０３：スキャンプレビュー制御部１０は、パネル制御部４およびスキャン画像保存制御部９を介してパネル部５にスキャンプレビュー画面４００を表示し、スキャン画像表示領域４０１に取得したスキャン画像１４の１ページ目を表示する。
【００３９】
Ｓ２０４：スキャンプレビュー制御部１０は、パネル制御部４およびスキャン画像保存制御部９を介してスキャンプレビュー画面４００におけるパネル操作を受付ける。スキャンプレビュー制御部１０は、受付けたパネル操作が、次画像表示ボタン４０３（次の画像表示）の場合、処理をＳ２０５へ移行し、前画像表示ボタン４０２（前の画像表示）の場合、処理をＳ２０６へ移行し、サムネイル対象チェックボックス４０５のチェック（サムネイル選択）の場合、処理をＳ２０７へ移行し、次へボタン４０６の場合、処理をＳ２０８へ移行する。
【００４０】
Ｓ２０５：次画像表示ボタン４０３のパネル操作を受付けたスキャンプレビュー制御部１０は、スキャンプレビュー画面４００のスキャン画像表示領域４０１に、現在表示しているスキャン画像１４の次のページを表示し、処理をＳ２０４へ移行する。
Ｓ２０６：前画像表示ボタン４０２のパネル操作を受付けたスキャンプレビュー制御部１０は、スキャンプレビュー画面４００のスキャン画像表示領域４０１に、現在表示しているスキャン画像１４の１ページ前のページを表示し、処理をＳ２０４へ移行する。
【００４１】
Ｓ２０７：サムネイル対象チェックボックス４０５のチェックのパネル操作を受付けたスキャンプレビュー制御部１０は、Ｓ２０１で作成したサムネイル対象リストに現在表示しているスキャン画像１４のページ番号を設定し、処理をＳ２０４へ移行する。
Ｓ２０８：次へボタン４０６のパネル操作を受付けたスキャンプレビュー制御部１０は、パネル制御部４およびスキャン画像保存制御部９を介してアイコン作成方法選択画面５００をパネル部５に表示する。
【００４２】
Ｓ２０９：スキャンプレビュー制御部１０は、パネル制御部４およびスキャン画像保存制御部９を介してアイコン作成方法選択画面５００におけるパネル操作を受付ける。スキャンプレビュー制御部１０は、受付けたパネル操作が、実行ボタン５０４の場合、処理をＳ２１０へ移行し、キャンセルボタン５０３の場合、処理をＳ２１２へ移行する。
Ｓ２１０：実行ボタン５０４のパネル操作を受付けたスキャンプレビュー制御部１０は、アイコン作成方法選択ラジオボタン５０２で選択されているアイコン作成方法の情報を取得する。
【００４３】
Ｓ２１１：スキャンプレビュー制御部１０は、Ｓ２１０において取得したアイコン作成方法の情報とＳ２０７において設定したサムネイル対象リストを添付したスキャンプレビュー完了通知をスキャン画像保存制御部９に送信（通知）し、本処理を終了する。
Ｓ２１２：一方、キャンセルボタン５０３のパネル操作を受付けたスキャンプレビュー制御部１０は、サムネイル対象リストを空にし、そのサムネイル対象リストを添付したスキャンプレビュー完了通知をスキャン画像保存制御部９に送信（通知）し、本処理を終了する。なお、サムネイル対象リストを空にすることは図７に示すスキャン画像保存制御部９の処理を取り消すことになる。
【００４４】
例えば、図５に示すスキャンプレビュー画面４００において、スキャン画像１４のサムネイル対象を１ページ目、３ページ目、６ページ目としてサムネイル対象チェックボックス４０５をチェックし、図６に示すアイコン作成方法選択画面５００において、アイコン作成方法選択ラジオボタン５０２で「重ね合わせ」をチェックして選択した場合、図１１に示すように、アイコン作成方法６０１には、「重ね合わせ」が設定され、またサムネイル対象リスト[０]６０２（１番目）には、１ページ目を表す「１」、サムネイル対象リスト[１]６０３（２番目）には、３ページ目を表す「３」、サムネイル対象リスト[２]６０４（３番目）には、６ページ目を表す「６」が設定される。
【００４５】
このように設定されたアイコン作成方法を表す情報およびサムネイル対象リストがスキャンプレビュー完了通知に添付される。
次に、ＭＦＰ１のアイコン作成部１２が行う処理を図９の実施例におけるアイコン作成部が行う処理の流れを示すフローチャートの図中Ｓで表すステップに従って説明する。なお、本処理は図７におけるＳ１０４で起動される。
【００４６】
Ｓ３０１：ＭＦＰ１のアイコン作成部１２は、スキャン画像保存制御部９から送信（通知）されたスキャンプレビュー完了通知のアイコン作成方法の情報を取得する。
Ｓ３０２：次に、アイコン作成部１２は、スキャン画像保存制御部９から送信（通知）されたスキャンプレビュー完了通知のサムネイル対象リストを取得する。
Ｓ３０３：アイコン作成部１２は、取得したサムネイル対象リストの要素数をカウントし、サムネイ画像を作成するサムネイル対象数とする。
Ｓ３０４：アイコン作成部１２は、空のアイコン１６を作成する。
【００４７】
Ｓ３０５：アイコン作成部１２は、取得したアイコン作成方法の情報が「重ね合わせ」であるか「トグル表示」であるかを判定し、「重ね合わせ」であると判定すると処理をＳ３０６へ移行し、「トグル表示」であると判定すると処理をＳ３１２へ移行する。
Ｓ３０６：アイコン作成方法の情報が「重ね合わせ」であると判定したアイコン作成部１２は、サムネイル対象数に基づいてサムネイル画像のサイズ（図１３に示す幅Ｗおよび高さＨ）を決定する。
【００４８】
Ｓ３０７：また、アイコン作成部１２は、サムネイル対象数に基づいてサムネイル画像を重ね合わせるときのずらし量（図１３に示すそれぞれのサムネイル画像の端部の間隔）を決定する。
ここで、サムネイル画像のサイズおよびずらし量の決定方法について説明する。図１２は実施例におけるサムネイルサイズテーブルの説明図であり、アイコン作成部１２は、サムネイルサイズテーブルを利用してサムネイル画像のサイズおよびずらし量を決定する。なお、図１２に示すサムネイル画像のサイズおよびずらし量は、例えばドット数で表すものとする。
【００４９】
図１２において、サムネイル対象数が「１」の場合（６５１）、サムネイル画像の幅は「１００」、高さは「１５０」、ずらし量は「０」である。
サムネイル対象数が「２」の場合（６５２）、サムネイル画像の幅は「７０」、高さは「１２０」、ずらし量は「３０」である。
【００５０】
サムネイル対象数が「３」の場合（６５３）、サムネイル画像の幅は「６０」、高さは「１１０」、ずらし量は「２０」である。
サムネイル対象数が「４」の場合（６５４）、サムネイル画像の幅は「５０」、高さは「１００」、ずらし量は「１０」である。
サムネイル対象数が「５」の場合（６５５）、サムネイル画像の幅は「５０」、高さは「１００」、ずらし量は「５」である。
【００５１】
Ｓ３０８：アイコン作成部１２は、サムネイル画像の重ね合わせ処理を開始し、サムネイル対象リストの要素数分繰り返してサムネイル画像の重ね合わせ処理を行う必要がある（未終了）と判定すると処理をＳ３０９へ移行し、サムネイル対象リストの要素数分のサムネイル画像の重ね合わせ処理が終了したと判定すると処理をＳ３１１へ移行する。
【００５２】
Ｓ３０９：アイコン作成部１２は、サムネイル対象リストに設定されているページ番号、およびＳ３０６において決定したサムネイル画像のサイズをサムネイル作成部１１に渡す。サムネイル作成部１１は、渡されたページ番号およびサムネイル画像のサイズに基づいてサムネイル画像１５を作成し、記録部１３に記録する。
【００５３】
このように、サムネイル作成部１１は、スキャンプレビュー制御部１０で選択されたサムネイル対象数（サムネイル画像数）に応じてサムネイル画像の大きさを変化させる
なお、サムネイル作成部１１は、既に重ね合わせたサムネイル画像が存在しない場合、Ｓ３０９において作成したサムネイル画像を重ね合わせ画像としてサムネイル画像１５を作成する。
【００５４】
Ｓ３１０：サムネイル作成部１１は、既に重ね合わせたサムネイル画像が存在する場合、Ｓ３０９において作成したサムネイル画像を、既に作成した重ね合わせサムネイル画像に対して、Ｓ３０７において決定したずらし量分ずらして重ね合わせ、サムネイル画像１５を作成し、処理をＳ３０８へ戻す。
このように、サムネイル作成部１１は、スキャンプレビュー制御部１０で選択されたサムネイル対象数（サムネイル画像数）に応じてずらし量を変化させる。
【００５５】
Ｓ３１１：Ｓ３０８において、サムネイル対象リストの要素数分のサムネイル画像の重ね合わせ処理が終了したと判定したアイコン作成部１２は、Ｓ３０４で作成したアイコンに、Ｓ３０９およびＳ３１０において作成した重ね合わせサムネイル画像を張り付けて作成したアイコン１６をスキャン画像保存制御部９に送信（通知）し、本処理を終了する。
【００５６】
例えば、アイコン作成部１２は、図１１に示すスキャンプレビュー完了通知を受けると、アイコン作成方法６０１が「重ね合わせ」に設定され、またサムネイル対象リスト[０]６０２（１番目）には、１ページ目を表す「１」、サムネイル対象リスト[１]６０３（２番目）には、３ページ目を表す「３」、サムネイル対象リスト[２]６０４（３番目）には、６ページ目を表す「６」が設定されているため、図１３に示すように、重ね合わせたサムネイル画像のアイコンを作成する。
【００５７】
図１３に示すアイコンは、スキャン画像１４の１ページ目のサムネイル画像７０１、３ページ目のサムネイル画像７０２、および６ページ目のサムネイル画像７０３の３つのサムネイル画像を幅Ｗ、高さＨとし、またずらし量Ｄだけずらしながら重ね合わせたものである。
【００５８】
図１３において、それぞれのサムネイル画像（７０１、７０２、７０３）は、幅Ｗ、高さＨとして表示され、またそれぞれのサムネイル画像（７０１、７０２、７０３）の端部の間隔（例えば、右端部と右端部との間隔、左端部と左端部との間隔、上端部と上端部との間隔、下端部と下端部との間隔）をずらし量Ｄとして表示される。なお、本実施例では、それぞれのサムネイル画像（７０１、７０２、７０３）の端部の間隔であるずらし量Ｄを同一のずらし量としたが、それぞれ異なるずらし量としても良い。
【００５９】
Ｓ３１２：Ｓ３０５において、アイコン作成方法の情報が「トグル表示」であると判定したアイコン作成部１２は、サムネイル画像のトグル表示処理を開始し、サムネイル対象リストの要素数分繰り返してサムネイル画像のトグル表示処理を行う必要がある（未終了）と判定すると処理をＳ３１３へ移行し、サムネイル対象リストの要素数分のサムネイル画像のトグル表示処理が終了したと判定すると処理をＳ３１５へ移行する。
【００６０】
Ｓ３１３：アイコン作成部１２は、サムネイル対象リストに設定されているページ番号をサムネイル作成部１１に渡す。サムネイル作成部１１は、渡されたページ番号に基づいてサムネイル画像１５を作成し、記録部１３に記録する。なお、サムネイル作成部１１は、所定のサムネイル画像のサイズ（例えば、図１３に示す幅Ｗを１００ドット、高さＨを１５０ドット）でサムネイル画像１５を作成する。
【００６１】
Ｓ３１４：サムネイル作成部１１は、作成したサムネイル画像１５を識別するための識別情報としてのサムネイル画像ＩＤを設定したトグルサムネイリストを作成し、処理をＳ３１２へ戻す。
Ｓ３１５：Ｓ３１２において、サムネイル対象リストの要素数分のサムネイル画像のトグル表示処理が終了したと判定したアイコン作成部１２は、Ｓ３０４で作成したアイコンに、Ｓ３１４において作成したトグルサムネイリストを設定したアイコン１６をスキャン画像保存制御部９に送信（通知）し、本処理を終了する。
【００６２】
例えば、アイコン作成部１２は、受け取ったスキャンプレビュー完了通知のアイコン作成方法が「トグル表示」に設定され、サムネイル対象リスト[０]（１番目）に、１ページ目を表す「１」、サムネイル対象リスト[１]（２番目）に、３ページ目を表す「３」、サムネイル対象リスト[２]（３番目）に、６ページ目を表す「６」が設定されている場合、図１４に示す、トグルサムネイリストを作成する。
【００６３】
図１４に示すトグルサムネイリストには、トグルサムネイリスト[０]７５１（１番目）に、１ページ目のサムネイル画像ＩＤである「ＩＭＧ０００００１」、トグルサムネイリスト[１]７５２（２番目）に、３ページ目のサムネイル画像ＩＤである「ＩＭＧ０００００３」、トグルサムネイリスト[２]７５３（３番目）に、６ページ目のサムネイル画像ＩＤである「ＩＭＧ０００００６」が設定される。
次に、ＭＦＰ１のホーム画面制御部８が行うタイムアウト処理を図１０の実施例におけるタイムアウト処理の流れを示すフローチャートの図中Ｓで表すステップに従って説明する。なお、本処理は所定時間が経過する度に起動される。
【００６４】
Ｓ４０１：ＭＦＰ１のホーム画面制御部８は、パネル部５に表示しているアイコン（図３に示すホーム画面２００のスキャン画像印刷実行ボタン２０５）に対応するトグルサムネイリスト、すなわち表示中のトグルサムネイリストのインデックスに「１」を加算する。例えば、図１４に示すトグルサムネイリストの１ページ目のサムネイル画像をアイコンとして表示している場合、トグルサムネイリストのインデックスは「０」であるので、インデックスに「１」を加算して、「１」とする。
【００６５】
Ｓ４０２：ホーム画面制御部８は、「１」を加算したトグルサムネイリストのインデックス（加算結果）と、トグルサムネイリストの要素数とを比較し、加算結果がトグルサムネイリストの要素数以上であると判定すると処理をＳ４０３へ移行し、加算結果がトグルサムネイリストの要素数未満であると判定すると処理をＳ４０４へ移行する。
Ｓ４０３：ホーム画面制御部８は、加算結果がトグルサムネイリストの要素数以上であると判定すると、トグルサムネイリストのインデックスを「０」にする。例えば、加算結果が「３」となった場合、加算結果がトグルサムネイリストの要素数以上であると判定され、トグルサムネイリストのインデックスは「０」となる。
【００６６】
Ｓ４０４：ホーム画面制御部８は、更新されたトグルサムネイリストのインデックスに基づいてサムネイル画像ＩＤを取得し、さらに取得したサムネイル画像ＩＤに基づいてサムネイル画像１５を取得する。
Ｓ４０５：ホーム画面制御部８は、取得したサムネイル画像１５をアイコン（図３に示すホーム画面２００のスキャン画像印刷実行ボタン２０５）としてパネル部５に表示し、本処理を終了する。
【００６７】
例えば、図１４に示すトグルサムネイリストが作成されている場合、ホーム画面制御部８は、図１５に示すように、最初に、インデックスが「０」のサムネイル画像ＩＤ（ＩＭＧ０００００１）に基づいて１ページ目のサムネイル画像をアイコン８０１として表示し、所定の時間が経過すると、インデックスが「１」のサムネイル画像ＩＤ（ＩＭＧ０００００３）に基づいて３ページ目のサムネイル画像をアイコン８０２として表示し、さらに所定の時間が経過すると、インデックスが「２」のサムネイル画像ＩＤ（ＩＭＧ０００００６）に基づいて６ページ目のサムネイル画像をアイコン８０３として表示する。
【００６８】
このアイコン８０１、８０２、８０３は、図３に示すホーム画面２００のスキャン画像印刷実行ボタン２０５として表示される。
このように、ＭＦＰ１は、スキャナ部２で読み取った複数の原稿の画像データの中から選択された原稿の画像データのサムネイル画像を作成し、そのサムネイル画像を付加したアイコンをホーム画面２００のスキャン画像印刷実行ボタン２０５として表示するようにしたことにより、ユーザは読取った原稿全体の内容を容易に把握できるようになる。
【００６９】
また、複数のサムネイル画像を重ね合わせたアイコンをスキャン画像印刷実行ボタン２０５として表示するようにしたことにより、ユーザは一目で読取った原稿全体の内容を容易に把握できるようになる。
さらに、所定の時間が経過すると複数のサムネイル画像を切り替えて表示するアイコンをスキャン画像印刷実行ボタン２０５として表示するようにしたことにより、ユーザはサムネイル画像を確認しながら読取った原稿全体の内容を容易に把握できるようになる。
【００７０】
以上説明したように、本実施例では、読み取った複数の原稿の画像データの中から選択された原稿の画像データのサムネイル画像を付加したアイコンを表示部に表示するようにしたことにより、ユーザは読取った原稿全体の内容を容易に把握することができるという効果が得られる。
また、ユーザは読取った原稿全体の内容を把握する時間を短縮することができるという効果が得られる。
【００７１】
さらに、読取った原稿全体の内容のユーザの誤認を抑制することができ、無駄な印刷を削減することができるという効果が得られる。
なお、本実施例では、画像形成装置をＭＦＰ（複合機）として説明したが、それに限られることなく、ファクシミリ画像を印刷するファクシミリ装置、また電子メールにより受信したメール画像等を印刷や表示する画像処理装置等としても良い。
【符号の説明】
【００７２】
１    ＭＦＰ
２    スキャナ部
３    スキャナ制御部
４    パネル制御部
５    パネル部
６    プリント制御部
７    プリント部
８    ホーム画面制御部
９    スキャン画像保存制御部
１０  スキャンプレビュー制御部
１１  サムネイル作成部
１２  アイコン作成部
１３  記録部
１４  スキャン画像
１５  サムネイル画像
１６  アイコン
１７  タイマー
【図１】
2017011524.tif 000003
【図２】
2017011524.tif 000004
【図３】
2017011524.tif 000005
【図４】
2017011524.tif 000006
【図５】
2017011524.tif 000007
【図６】
2017011524.tif 000008
【図７】
2017011524.tif 000009
【図８】
2017011524.tif 000010
【図９】
2017011524.tif 000011
【図１０】
2017011524.tif 000012
【図１１】
2017011524.tif 000013
【図１２】
2017011524.tif 000014
【図１３】
2017011524.tif 000015
【図１４】
2017011524.tif 000016
【図１５】
2017011524.tif 000017